(57)【要約】      （修正有）【課題】製造コストを抑え、かつ携帯できて使用上便利な顕微鏡装置を提供する。【解決手段】顕微鏡ユニットと、フォーカス調整ユニットとによってなる顕微鏡装置であって、該顕微鏡ユニット１０は、少なくと一以上の発光部材６と極磁性部材と送信部材９とを含んでなる本体７と、光の屈折の原理を利用して光線の強弱を調整する光源調整座５と、透過性部材２とカメラヘッド１と磁性部材とによってなる顕微鏡カメラヘッド３と、を該磁性部材の磁性によって連結してなり、該フォーカス調整ユニットは、固定座とフォーカス調整部材とカバー固定座と、保護カバーとによって構成する。【選択図】図１
0003154797.tif 000002
【実用新案登録請求の範囲】
【請求項１】
顕微鏡ユニットと、フォーカス調整ユニットとによってなる顕微鏡装置であって、
該顕微鏡ユニットは、少なくと一以上の発光部材と極磁性部材と送信部材とを含んでなる本体と、
光の屈折の原理を利用して光線の強弱を調整する光源調整座と、透過性部材とカメラヘッドと磁性部材とによってなる顕微鏡カメラヘッドと、を該磁性部材の磁性によって連結してなり、
該フォーカス調整ユニットは、固定座とフォーカス調整部材とカバー固定座と、保護カバーとによって構成されることを特徴とする顕微鏡装置。
【請求項２】
前記顕微鏡カメラヘッドの透過性部材に防水部材を設けることを特徴とする請求項１に記載の顕微鏡装置。
【請求項３】
前記通信部材が有線か、もしくは無線方式でコンピュータ本体に観察データを送信することを特徴とする請求項１に記載の顕微鏡装置。
【考案の詳細な説明】
【技術分野】
【０００１】
この考案は、顕微鏡装置に関する。
【背景技術】
【０００２】
従来の顕微鏡は、微生物、細胞、もしくは物質の微細な構造の観察に用いられる場合がほとんどである。この種の顕微鏡は拡大とフォーカス調整の機能を兼備するが、改善すべき点がある。即ち、顕微鏡の体積が大きく、製造コストが高くなるという点である。
【０００３】
また、拡大レンズの倍率とフォーカスが固定されているため、レボルバーを回転させてステージに対応する対物レンズを切換えて、接岸レンズと対物レンズとの組み合わせで観察者の必要とする倍率を得て被観察物を観察しなければならない。さもなければ顕微鏡の倍率を変更することができなくなる。このため、レボルバーには少なくとも２つ以上の対物レンズが必要になる。故に、製造コストも当然高くなり、かつ顕微鏡全体の体積も縮小させることができなくなる。
【０００４】
また、従来の顕微鏡は体積が大きく携帯に不便である。
【０００５】
さらには、それぞれの対物レンズは異なる倍率を有する。長さの異なる対物レンズを具えることも携帯を不便にする要因となっている。
【考案の概要】
【考案が解決しようとする課題】
【０００６】
この考案は、製造コストを抑えることができ、携帯に便利で、顕微鏡台座に取り付けても使用できる顕微鏡装置を提供することを課題とする。
【課題を解決するための手段】
【０００７】
そこで、本考案者は従来の顕微鏡に見られる欠点に鑑み鋭意研究を重ねた結果、相補型金属酸化膜半導体をディジタルカメラヘッドと発光部材と送信部材とを含んでなる顕微鏡ユニットと、フォーカス調整ユニットとによってなる顕微鏡装置を構成することによって課題を解決できる点に着眼し、係る知見に基づいて本考案を完成させた。
【０００８】
以下、この考案について具体的に説明する。
請求項１に記載する顕微鏡装置は、顕微鏡ユニットと、フォーカス調整ユニットとによってなる顕微鏡装置であって、
該顕微鏡ユニットは、少なくと一以上の発光部材と極磁性部材と送信部材とを含んでなる本体と、
光の屈折の原理を利用して光線の強弱を調整する光源調整座と、透過性部材とカメラヘッドと磁性部材とによってなる顕微鏡カメラヘッドと、を該磁性部材の磁性によって連結してなり、
該フォーカス調整ユニットは、固定座とフォーカス調整部材とカバー固定座と、保護カバーとによって構成される。
【０００９】
請求項２に記載する顕微鏡装置は、請求項１における顕微鏡カメラヘッドの透過性部材に防水部材を設ける。
【００１０】
請求項３に記載する顕微鏡装置は、請求項１における通信部材が有線か、もしくは無線方式でコンピュータ本体に観察データを送信する。
【考案の効果】
【００１１】
この考案による顕微鏡装置は、製造コストを抑えることができ、製品の市場における高い競争力が得られる。
【００１２】
また、携帯に便利で、観察して得た資料を容易に保存し、各種の処理を行うことができため、使用上便利である。
【図面の簡単な説明】
【００１３】
【図１】この考案における顕微鏡ユニットの構造を示した分解図である。
【図２】図１に開示する顕微鏡ユニットの斜視図である。
【図３】異なる倍率の顕微鏡カメラヘッドを交換する動作を示した説明図である。
【図４】防水ユニットを設けた顕微鏡カメラヘッドを交換する動作を示した説明図である。
【図５】図４に開示する顕微鏡カメラヘッドを取り付けた状態を示した説明図である。
【図６】光源調整座の動作を示した説明図である。
【図７】光源調整座の動作を示した他の説明図である。
【図８】この考案におけるフォーカス調整ユニットの構造を示した分解図である。
【図９】図８に開示するフォーカス調整ユニットの動作を示した説明図である。
【図１０】この考案による顕微鏡装置の使用態様を示した説明図である。
【図１１】この考案による顕微鏡装置の使用態様を示した他の説明図である。
【図１２】この考案による顕微鏡装置の使用態様を示したその他説明図である。
【実施例】
【００１４】
図１、はこの考案における顕微鏡ユニットの外観を示した斜視図である。図面に開示するように、顕微鏡ユニット１０は、本体７と、送信部材９と、顕微鏡カメラヘッド３と、光源調整座５とを含んでなる。
【００１５】
本体７は内部の収納空間に少なくとも一以上の発光部材６とＳ極磁性部材４１とを具え、かつ送信部材９に電気的に接続する。本体７の一方の端面には蓋体８を設ける。この場合、本体７の外周面と蓋体８８の内周面に螺刻して、それぞれ対応して形成されたねじ山１７を螺着して、蓋体８を本体７に取り付け、本体７内に設ける部材が落ちて外部に出ないようにする。
【００１６】
発光部材６は発光ダイオードを用いる。顕微鏡カメラヘッド３には、本体７のＳ極磁性部材４１に対応する位置にN極磁性部材４２を設けて、本体７と、顕微鏡カメラヘッド３とを着脱自在に連結する。
【００１７】
顕微鏡カメラヘッド３は、透過性部材２と、カメラヘッド１と、N極磁性部材４２とを具える。透過性部材２は、光の屈折の原理を応用して光源部材６の照射する光線をカメラヘッド１に分布させ、カメラヘッド１に十分な光線を提供するために設ける。
【００１８】
カメラヘッド１は、相補型金属酸化膜半導体を利用したディジタルカメラヘッドである。相補型金属酸化膜半導体を利用したカメラヘッドは、システムとの整合性、低いパワー消費率、スマートタイプの画素、高いフレーム率などの特性を有し、消費する電気の量を抑え、画素をランダムに読み取ることができ、データをシングルチップに整合させて使用することができ、しかも低価格である。
【００１９】
N極磁性部材４２は、磁性の原理を応用してカメラヘッド１と本体７とを着脱自在に連結する。
【００２０】
光源調整座５は、必要に応じて光線の量を調整するために用いる。
【００２１】
図３は、異なる倍率の顕微鏡カメラヘッド３を交換する動作を示した説明図である。図面によれば、顕微鏡ユニット１０に設けられた顕微鏡カメラヘッド３はＮ極磁性部材４２と、本体７に設けたＳ極磁性部材４１とによって、磁性の原理で着脱自在に設けられる。よって、異なる倍率の顕微鏡ヘッド３に容易に交換することができる。
【００２２】
図４、５に開示するように、顕微鏡カメラヘッド３の透過性部材２には防水部材２２を設ける。よって、本考案の装置を携帯する場合、もしくは被観察物を観察する場合に、予期せず顕微鏡カメラヘッド３に水分が滲入して、被観察物の観察に微妙な誤差の発生することを防ぐことができる。
【００２３】
図６、７に光源調整座５の動作を開示する。図面によれば、光源調整座５は本体７と顕微鏡カメラヘッド３との間に設ける。光源調整座５は発光部材６を二つ、もしくは４つ配列してなり、使用時の必要に応じて光線の量を調整する。
【００２４】
図８に、フォーカス調整構造を開示する。この考案においては、顕微鏡ユニット１０と、フォーカス調整ユニット２０とによって顕微鏡装置１００を構成する。フォーカス調整ユニット２０は保護カバー１１と、フォーカス調整部材１２と、カバー固定座１３と、固定座１４とを具える。
【００２５】
固定座１４は、位置決め部材１６で顕微鏡ユニット１０の取り付け位置に位置決めし、さらに固定部材１５で固定する。よって、固定座１４が外れることを防ぐことができる。固定座１４の一端の外周面と、フォーカス調整部材１２の内壁には、それぞれねじ山１７を形成する。
【００２６】
また、固定座１４の一端には保護カバー固定在１３を設ける。保護カバー固定座１３の一端に保護カバー１１を冠着してカメラヘッドを保護する。
【００２７】
図９は、フォーカス調整ユニット２０の動作を示した説明図である。図面に開示するように、フォーカス調整部材１２は使用時の必要に応じて左右に回転させて、被観察物を観察するための適宜なフォーカスを得る。
【００２８】
図１０、１１に、この考案による顕微鏡装置１００の使用態様を開示する。図面によれば、ＵＳＢである送信部材９とコンピュータ本体８とを電気的に接続し、モニター１９に被観察物の画像を映して、使用者の観察に供する。送信部材９は有線であっても、無線であってもよい。
【００２９】
図１２に、この考案による顕微鏡装置１００の他の使用態様を開示する。図面によれば、顕微鏡座２１に顕微鏡ユニット１０を設けてもよい。
【符号の説明】
【００３０】
１                  カメラヘッド
１０                     顕微鏡ユニット
１００           顕微鏡装置
１１                     保護カバー
１２                     フォーカス調整部材
１３                     カバー固定座
１４                     固定座
１５                     固定部材
１６                     位置決め部材       
２                  透過性部材
２０                     フォーカス調整ユニット
２１                     顕微鏡座
２２                     防水部材
３                  顕微鏡カメラヘッド
４１                     Ｓ磁性部材
４２                     Ｎ極磁性部材
５                  光源調整座
６                  発光部材
７                  本体
８                  蓋体
９                  送信部材
【図１】
0003154797.tif 000003
【図２】
0003154797.tif 000004
【図３】
0003154797.tif 000005
【図４】
0003154797.tif 000006
【図５】
0003154797.tif 000007
【図６】
0003154797.tif 000008
【図７】
0003154797.tif 000009
【図８】
0003154797.tif 000010
【図９】
0003154797.tif 000011
【図１０】
0003154797.tif 000012
【図１１】
0003154797.tif 000013
【図１２】
0003154797.tif 000014
【手続補正書】
【提出日】平成21年8月18日(2009.8.18)
【手続補正１】
【補正対象書類名】実用新案登録請求の範囲
【補正対象項目名】請求項１
【補正方法】変更
【補正の内容】
【請求項１】
顕微鏡ユニットと、フォーカス調整ユニットとによってなる顕微鏡装置であって、
該顕微鏡ユニットは、少なくとも一以上の発光部材と極磁性部材と送信部材とを含んでなる本体と、
光の屈折の原理を利用して光線の強弱を調整する光源調整座と、透過性部材とカメラヘッドと磁性部材とによってなる顕微鏡カメラヘッドと、を該磁性部材の磁性によって連結してなり、
該フォーカス調整ユニットは、固定座とフォーカス調整部材とカバー固定座と、保護カバーとによって構成されることを特徴とする顕微鏡装置。
【手続補正２】
【補正対象書類名】実用新案登録請求の範囲
【補正対象項目名】請求項３
【補正方法】変更
【補正の内容】
【請求項３】
前記送信部材が有線か、もしくは無線方式でコンピュータ本体に観察データを送信することを特徴とする請求項１に記載の顕微鏡装置。